(57)【特許請求の範囲】
【請求項１】
第１の圧油接続口を介して油圧式道路舗装機械と接続されると油圧式道路舗装機械に搭載された走行用ＨＳＴモータとの間で油圧閉回路を構成する閉回路用油圧ポンプと、第２の圧油接続口を介して油圧式道路舗装機械と接続されると油圧式道路舗装機械に搭載された走行用油圧モータとの間で油圧開回路を構成する開回路用油圧ポンプと、前記閉回路用油圧ポンプおよび前記開回路用油圧ポンプを駆動するエンジンと、前記油圧開回路を流れる油を貯める油タンクとを備えた油圧式道路舗装機械の緊急油圧駆動装置。
【請求項２】
前記第１の圧油接続口および前記閉回路用油圧ポンプの組みを複数備え、油圧式道路舗装機械に搭載された複数の前記走行用ＨＳＴモータとの間でそれぞれ油圧閉回路を構成することを特徴とする請求項１に記載の油圧式道路舗装機械の緊急油圧駆動装置。
【請求項３】
前記閉回路用油圧ポンプは吐出油制御手段を備え、前記走行用ＨＳＴモータの駆動状態を前記吐出油制御手段により制御し、前記油圧開回路は方向流量制御弁を備え、前記走行用油圧モータの駆動状態を前記方向流量制御弁により制御することを特徴とする請求項１または請求項２に記載の油圧式道路舗装機械の緊急油圧駆動装置。
【発明の詳細な説明】
【技術分野】
【０００１】
本発明は、油圧式道路舗装機械と接続されて油圧式道路舗装機械に搭載された油圧モータを緊急駆動させる油圧式道路舗装機械の緊急油圧駆動装置に関するものである。
【背景技術】
【０００２】
道路舗装機械による、高速道路や国道等の一般道の舗装施工は、一般的に道路を閉鎖して行われる。その場合には道路の閉鎖および開放時間が決められ、決められた時間内に舗装施工を終了させなければならない。また、飛行場における空港内での舗装施工も、同様である。このような舗装施工中に道路舗装機械に不具合が発生し、道路舗装機械のエンジンが停止した場合には、施工が継続できないだけでなく、道路舗装機械自体をその場から移動させて、開放時間までに現場を復旧させる必要がある。
【０００３】
このような要請から、従来、この種の道路舗装機械といった油圧式建設機械を緊急駆動させる装置が開発されており、例えば、特許文献１には、油圧式建設機械の非常用脱出装置が開示されている。この非常用脱出装置は、油圧式建設機械本体とは別に油圧源ユニットおよびモータユニットを備えて構成されている。これら油圧源ユニットおよびモータユニットは、油圧カプラおよび油圧ホースによって油圧式建設機械本体に接続される。油圧式建設機械は、走行用のコントロールバルブなどが故障した場合に、非常用脱出装置が接続されることにより圧油が供給されて走行用油圧モータが駆動させられ、作業現場から脱出させられる。
【先行技術文献】
【特許文献】
【０００４】
【特許文献１】特許第３１４５６６８号公報
【発明の概要】
【発明が解決しようとする課題】
【０００５】
しかしながら、特許文献１に記載の上記従来の非常用脱出装置は、油圧回路が閉回路で構成されるＨＳＴ（Hydro-Static Transmission）と称される走行系油圧ユニットで走行する油圧式建設機械には、接続することができなかった。このような走行系油圧ユニットは、原動機であるエンジンと駆動輪との間に設けられ、エンジンによって駆動される走行用油圧ポンプから供給される圧油が閉回路内を循環し、循環するこの圧油によって走行用油圧モータが駆動される。このため、上記従来の非常用脱出装置では、油圧式建設機械の稼働中に油圧閉回路で構成される走行系油圧ユニットに故障が発生した場合、故障現場から油圧式建設機械を移動させることができなかった。
【０００６】
また、この問題を解決するため、本出願人は、特願２０１０−１６９９７６の特許出願において、走行系油圧回路が閉回路で構成される油圧式建設機械を非常用脱出装置と接続する場合に、走行系油圧回路を開回路にする操作ユニットを提案している。しかし、この操作ユニットは、構造が複雑であったり、非常用脱出装置とは別に用意する必要があって管理が複雑となっている。さらに、この操作ユニットでは、走行系閉回路の利点である圧油の流量制御によるブレーキ力発生を行うために、カウンタバランス弁等の回路構成が必要となる。
【課題を解決するための手段】
【０００７】
本発明はこのような課題を解決するためになされたもので、
第１の圧油接続口を介して油圧式道路舗装機械と接続されると油圧式道路舗装機械に搭載された走行用ＨＳＴモータとの間で油圧閉回路を構成する閉回路用油圧ポンプと、第２の圧油接続口を介して油圧式道路舗装機械と接続されると油圧式道路舗装機械に搭載された走行用油圧モータとの間で油圧開回路を構成する開回路用油圧ポンプと、閉回路用油圧ポンプおよび開回路用油圧ポンプを駆動するエンジンと、油圧開回路を流れる油を貯める油タンクとを備え、油圧式道路舗装機械の緊急油圧駆動装置を構成した。
【０００８】
この構成によれば、油圧式道路舗装機械が閉回路で構成される走行系油圧回路を備えている場合、第１の圧油接続口を介して油圧式道路舗装機械と緊急油圧駆動装置とが接続されると、油圧式道路舗装機械に搭載された走行用ＨＳＴモータと緊急油圧駆動装置の閉回路用油圧ポンプとの間で油圧閉回路が構成される。また、油圧式道路舗装機械が開回路で構成される走行系油圧回路を備えている場合、第２の圧油接続口を介して油圧式道路舗装機械と緊急油圧駆動装置とが接続されると、油圧式道路舗装機械に搭載された走行用油圧モータと緊急油圧駆動装置の開回路用油圧ポンプとの間で油圧開回路が構成される。
【０００９】
このため、油圧式道路舗装機械が閉回路および開回路のいずれで構成される走行系油圧回路を備えていても、第１の圧油接続口または第２の圧油接続口を介して油圧式道路舗装機械と緊急油圧駆動装置とが接続されることで、油圧式道路舗装機械に搭載された油圧モータが緊急駆動されて、油圧式道路舗装機械は緊急走行することができる。しかも、このように油圧式道路舗装機械を緊急駆動できる緊急油圧駆動装置は、閉回路用油圧ポンプと開回路用油圧ポンプとを具備することで簡単な構造で提供され、また、単体で機能するために管理がし易く、また、カウンタバランス弁等の回路構成を必要とせずに、走行系閉回路の利点である圧油の流量制御によるブレーキ力を発生できる。
【００１０】
また、本発明は、第１の圧油接続口および閉回路用油圧ポンプの組みを複数備え、油圧式道路舗装機械に搭載された複数の走行用ＨＳＴモータとの間でそれぞれ油圧閉回路を構成することを特徴とする。
【００１１】
この構成によれば、走行装置がクローラ式の油圧式道路舗装機械については、左右それぞれの走行系油圧回路を、第１の圧油接続口および閉回路用油圧ポンプの複数の組みによって互いに独立した油圧閉回路で構成できる。このため、機械本体左右のクローラの駆動速度をそれぞれ独立に変化させることで、油圧式道路舗装機械にステアリング機能を持たすことができる。
【００１２】
また、本発明は、閉回路用油圧ポンプが吐出油制御手段を備え、走行用ＨＳＴモータの駆動状態を吐出油制御手段により制御し、油圧開回路が方向流量制御弁を備え、走行用油圧モータの駆動状態を方向流量制御弁により制御することを特徴とする。
【００１３】
この構成によれば、閉回路用油圧ポンプに備えられた吐出油制御手段の操作により、油圧式道路舗装機械に搭載された走行用ＨＳＴモータと緊急油圧駆動装置の閉回路用油圧ポンプとの間で構成される油圧閉回路を流れる圧油の流量や方向が、任意に変えられる。このため、走行系油圧回路が閉回路で構成される油圧式道路舗装機械の走行速度や前後進、クローラ式の道路舗装機械にあってはステアリングなどの機械操作が、吐出油制御手段の操作によって任意に行える。
【００１４】
また、油圧開回路に備えられた方向流量制御弁の操作により、油圧式道路舗装機械に搭載された走行用油圧モータと緊急油圧駆動装置の開回路用油圧ポンプとの間で構成される油圧開回路を流れる圧油の流量や方向が、任意に変えられる。このため、走行系油圧回路が開回路で構成される油圧式道路舗装機械の走行速度や前後進、クローラ式の道路舗装機械にあってはステアリングなどの機械操作が、方向流量制御弁の操作によって任意に行える。
【発明の効果】
【００１５】
本発明によれば、上記のように、閉回路および開回路のいずれで構成される走行系油圧回路を備えている油圧式道路舗装機械であっても、緊急走行することができる緊急油圧駆動装置が、簡単な構造で、しかも、管理がし易く、提供される。
【図面の簡単な説明】
【００１６】
【図１】本発明の一実施形態による油圧式建設機械の緊急油圧駆動装置の概略構成を示す図である。
【図２】図１に示す緊急油圧駆動装置が、油圧閉回路で構成されるタイヤ式走行装置を持つ油圧式建設機械に接続された場合の油圧回路構成を示す図である。
【図３】図１に示す緊急油圧駆動装置が、油圧閉回路で構成されるクローラ式走行装置を持つ油圧式建設機械に接続された場合の油圧回路構成を示す図である。
【図４】図１に示す緊急油圧駆動装置が、油圧開回路で構成されるクローラ式走行装置を持つ油圧式建設機械に接続された場合の油圧回路構成を示す図である。
【発明を実施するための形態】
【００１７】
次に、本発明による油圧式建設機械の緊急油圧駆動装置を実施するための一形態について説明する。
【００１８】
図１は、この一実施の形態による油圧式建設機械の緊急油圧駆動装置１の概略構成を示す図である。
【００１９】
緊急油圧駆動装置１は、エンジン２によって駆動される２つのＨＳＴポンプ３、４および２つの油圧ポンプ５、６を備えて構成されている。
【００２０】
ＨＳＴポンプ３は、その一対の圧油入出力口が一対の圧油接続口７ａ、７ｂに管路によってつながっており、ＨＳＴポンプ４は、その一対の圧油入出力口が一対の圧油接続口８ａ、８ｂに管路によってつながっている。ＨＳＴポンプ３、４は、可変吐出量形油圧ポンプであり、斜板の傾転角がポンプ傾転制御ユニット３ａ、４ａの操作によって変えられることで、圧油の吐出量や流れる方向が制御される。圧油接続口７ａ、７ｂおよび圧油接続口８ａ、８ｂはそれぞれ第１の圧油接続口を構成し、ＨＳＴポンプ３、４は、それぞれ、第１の圧油接続口を介して油圧式建設機械と接続されると、油圧式建設機械に搭載された油圧モータとの間で油圧閉回路を構成する閉回路用油圧ポンプを構成する。本実施形態における緊急油圧駆動装置１は、これら第１の圧油接続口および閉回路用油圧ポンプの組みを２組み備える。また、ポンプ傾転制御ユニット３ａ、４ａは各閉回路用油圧ポンプに備えられた吐出油制御手段を構成する。
【００２１】
油圧ポンプ５は、圧油吸入口が管路によって作動油タンク１１につながっており、圧油吐出口が管路によって方向流量制御弁１２を介して圧油接続口９ａ、９ｂにつながっている。また、油圧ポンプ６は、圧油吸入口が管路によって作動油タンク１１につながっており、圧油吐出口が管路によって圧油接続口１０につながっている。各油圧ポンプ５、６の圧油吐出口側の管路と圧油吸入口側の管路との間には、圧力調整弁１３、１４が設けられている。圧油接続口９ａ、９ｂおよび圧油接続口１０はそれぞれ第２の圧油接続口を構成し、油圧ポンプ５、６は、それぞれ、第２の圧油接続口を介して油圧式建設機械と接続されると、油圧式建設機械に搭載された油圧モータとの間で油圧開回路を構成する開回路用油圧ポンプを構成している。また、作動油タンク１１は、この油圧開回路を流れる作動油を貯める油タンクを構成している。また、圧油接続口９ａ、９ｂおよび油圧ポンプ５から構成される油圧開回路は方向流量制御弁１２を備える。
【００２２】
図２は、図１に示す上記の緊急油圧駆動装置１が、タイヤ式走行装置を持つ油圧式建設機械２１に接続された場合の油圧回路構成を示す図である。なお、同図において図１と同一部分には同一符号を付してその説明は省略する。
【００２３】
油圧式建設機械２１のタイヤ式走行装置は、走行系油圧回路が閉回路で構成され、この油圧閉回路内には一対の走行用ＨＳＴモータ２２ａ、２２ｂが設けられている。左右のタイヤ２３ａ、２３ｂはこの走行用ＨＳＴモータ２２ａ、２２ｂによってそれぞれ回転駆動される。この油圧閉回路は、管路に設けられた図示しないマニホールド等によって分岐し、油圧式建設機械２１の機械本体に設けられた圧油接続口２４ａ、２４ｂにつながっている。
【００２４】
油圧式建設機械２１のエンジン不具合によってエンジンが始動できなくなった場合などに、圧油接続口２４ａ、２４ｂは、両端にカプラが設けられた油圧ホース２５ａ、２５ｂにより、緊急油圧駆動装置１の圧油接続口７ａ、７ｂに接続される。緊急油圧駆動装置１内のＨＳＴポンプ３は、圧油接続口７ａ、７ｂが油圧ホース２５ａ、２５ｂを介して油圧式建設機械２１の圧油接続口２４ａ、２４ｂに接続されると、油圧式建設機械２１に搭載された走行用ＨＳＴモータ２２ａ、２２ｂとの間で油圧閉回路を構成する。
【００２５】
このため、緊急油圧駆動装置１内のＨＳＴポンプ３に備えられたポンプ傾転制御ユニット３ａを操作し、ＨＳＴポンプ３の圧油吐出量を変化させ、緊急油圧駆動装置１と油圧式建設機械２１との間で構成される油圧閉回路内を流れる圧油の流量を変えることで、油圧式建設機械２１における走行用ＨＳＴモータ２２ａ、２２ｂの回転速度を変えて、油圧式建設機械２１の走行速度を調整することが可能となる。また、ポンプ傾転制御ユニット３ａを操作することで、ＨＳＴポンプ３の圧油吐出方向も変えることができ、緊急油圧駆動装置１と油圧式建設機械２１との間で構成される油圧閉回路内を流れる圧油の向きを変えて、油圧式建設機械２１の前後進方向を変更することも可能となる。
【００２６】
図３は、図１に示す上記の緊急油圧駆動装置１が、クローラ式走行装置を持つ油圧式建設機械３１に接続された場合の油圧回路構成を示す図である。なお、同図において図１と同一部分には同一符号を付してその説明は省略する。
【００２７】
油圧式建設機械３１のクローラ式走行装置は、走行系油圧回路が左右のクローラ３２ａ、３２ｂについて独立の閉回路で構成され、各油圧閉回路内には一対の走行用ＨＳＴモータ３３ａ、３３ｂが設けられている。左右のクローラ３２ａ、３２ｂは各走行用ＨＳＴモータ３３ａ、３３ｂによってそれぞれ回転駆動される。走行用ＨＳＴモータ３３ａが設けられた左側の油圧閉回路は、管路に設けられた図示しないマニホールド等によって分岐し、油圧式建設機械３１の機械本体に設けられた圧油接続口３４ａ、３４ｂにつながっている。また、走行用ＨＳＴモータ３３ｂが設けられた右側の油圧閉回路は、管路に設けられた図示しないマニホールド等によって分岐し、油圧式建設機械３１の機械本体に設けられた圧油接続口３５ａ、３５ｂにつながっている。
【００２８】
油圧式建設機械３１のエンジン不具合によってエンジンが始動できなくなった場合などに、圧油接続口３４ａ、３４ｂは、両端にカプラが設けられた油圧ホース３６ａ、３６ｂによって緊急油圧駆動装置１の圧油接続口７ａ、７ｂに接続され、圧油接続口３５ａ、３５ｂは、両端にカプラが設けられた油圧ホース３７ａ、３７ｂによって緊急油圧駆動装置１の圧油接続口８ａ、８ｂに接続される。緊急油圧駆動装置１内のＨＳＴポンプ３は、圧油接続口７ａ、７ｂが油圧ホース３６ａ、３６ｂを介して油圧式建設機械３１の圧油接続口３４ａ、３４ｂに接続されると、油圧式建設機械３１に搭載された左側の走行用ＨＳＴモータ３３ａとの間で油圧閉回路を構成する。また、緊急油圧駆動装置１内のＨＳＴポンプ４は、圧油接続口８ａ、８ｂが油圧ホース３７ａ、３７ｂを介して油圧式建設機械３１の圧油接続口３５ａ、３５ｂに接続されると、油圧式建設機械３１に搭載された右側の走行用ＨＳＴモータ３３ｂとの間で油圧閉回路を構成する。
【００２９】
このため、緊急油圧駆動装置１内のＨＳＴポンプ３、４に備えられた各ポンプ傾転制御ユニット３ａ、４ｂを操作し、ＨＳＴポンプ３、４の圧油吐出量を変化させ、緊急油圧駆動装置１と油圧式建設機械３１との間で構成される各油圧閉回路内を流れる圧油の流量を変えることで、油圧式建設機械３１における走行用ＨＳＴモータ３３ａ、３３ｂの回転速度を変えて、油圧式建設機械３１の走行速度を調整することが可能となる。また、ポンプ傾転制御ユニット３ａ、４ｂを操作して、各ＨＳＴポンプ３、４の圧油吐出量や圧油吐出方向をそれぞれ独立に調整し、緊急油圧駆動装置１と油圧式建設機械３１との間で構成される各油圧閉回路内を流れる圧油の流量や向きをそれぞれ独立に変えることで、油圧式建設機械３１のステアリングを行ったり、前後進方向を変更することも可能となる。
【００３０】
図４は、図１に示す上記の緊急油圧駆動装置１が、クローラ式走行装置を持つ油圧式建設機械４１に接続された場合の油圧回路構成を示す図である。なお、同図において図１と同一部分には同一符号を付してその説明は省略する。
【００３１】
油圧式建設機械４１のクローラ式走行装置は、走行系油圧回路が開回路で構成され、この油圧開回路には一対の走行用モータ４３ａ、４３ｂが設けられている。左右のクローラ４２ａ、４２ｂは各走行用モータ４３ａ、４３ｂによってそれぞれ回転駆動される。走行用モータ４３ａ、４３ｂが設けられた各油圧回路はコントロールバルブ４４に接続されており、コントロールバルブ４４は油圧式建設機械４１の機械本体に設けられた圧油接続口４５ａ、４５ｂに管路を介してつながっている。
【００３２】
油圧式建設機械４１のエンジン不具合によってエンジンが始動できなくなった場合などに、圧油接続口４５ａ、４５ｂは、両端にカプラが設けられた油圧ホース４６ａ、４６ｂによって緊急油圧駆動装置１の圧油接続口９ａ、９ｂに接続される。緊急油圧駆動装置１内の油圧ポンプ５は、圧油接続口９ａ、９ｂが油圧ホース４６ａ、４６ｂを介して油圧式建設機械４１の圧油接続口４５ａ、４５ｂに接続されると、油圧式建設機械４１に搭載された走行用油圧モータ４３ａ、４３ｂとの間で油圧開回路を構成する。
【００３３】
このため、緊急油圧駆動装置１内の油圧開回路に備えられた方向流量制御弁１２を操作し、緊急油圧駆動装置１と油圧式建設機械４１との間で構成される油圧開回路内を流れる圧油の流量や向きを変え、油圧式建設機械４１における走行用モータ４３ａ、４３ｂの回転速度や回転方向を変えることで、油圧式建設機械４１の走行速度を調整したり、ステアリングを行ったり、前後進方向を変更することが可能となる。
【００３４】
このような本実施形態による緊急油圧駆動装置１によれば、図２および図３に示すように、油圧式建設機械２１、３１が閉回路で構成される走行系油圧回路を備えている場合、圧油接続口７ａ、７ｂおよび８ａ、８ｂの第１の圧油接続口を介して油圧式建設機械２１、３１と緊急油圧駆動装置１とが接続されると、油圧式建設機械２１、３１に搭載された走行用ＨＳＴモータ２２ａ、２２ｂまたは３３ａ、３３ｂと緊急油圧駆動装置１のＨＳＴポンプ３または４との間で、油圧閉回路が構成される。また、図４に示すように、油圧式建設機械４１が開回路で構成される走行系油圧回路を備えている場合、圧油接続口９ａ、９ｂの第２の圧油接続口を介して油圧式建設機械４１と緊急油圧駆動装置１とが接続されると、油圧式建設機械４１に搭載された走行用モータ４３ａ、４３ｂと緊急油圧駆動装置１の油圧ポンプ５との間で、油圧開回路が構成される。
【００３５】
このため、油圧式建設機械２１、３１、４１が閉回路および開回路のいずれで構成される走行系油圧回路を備えていても、第１の圧油接続口または第２の圧油接続口を介して油圧式建設機械２１、３１、４１と緊急油圧駆動装置１とが接続されることで、油圧式建設機械２１、３１、４１に搭載された走行用ＨＳＴモータ２２ａ、２２ｂもしくは３３ａ、３３ｂまたは走行用モータ４３ａ、４３ｂが緊急駆動されて、油圧式建設機械２１、３１、４１は緊急走行をすることができる。よって、舗装施工中に道路舗装機械に不具合が発生し、道路舗装機械のエンジンが停止した場合などにも、機械を移動、待避できるので、開放時間までに現場を復旧させて、道路閉鎖時間を守ることができる。しかも、このように油圧式建設機械２１、３１、４１を緊急駆動できる緊急油圧駆動装置１は、閉回路用のＨＳＴポンプ３、４と開回路用の油圧ポンプ５、６とを具備することで簡単な構造で提供され、また、単体で機能するために管理がし易く、また、カウンタバランス弁等の回路構成を必要とせずに、走行系閉回路の利点である圧油の流量制御によるブレーキ力を発生できる。
【００３６】
また、本実施形態による緊急油圧駆動装置１によれば、第１の圧油接続口および閉回路用油圧ポンプの組みを複数備えるので、図３に示すように走行装置がクローラ式の油圧式建設機械３１については、左右それぞれの走行系油圧回路を、圧油接続口７ａ、７ｂおよび走行用ＨＳＴポンプ３の組みによる油圧閉回路と、圧油接続口８ａ、８ｂおよび走行用ＨＳＴポンプ４の組みによる油圧閉回路とで、互いに独立して構成できる。このため、機械本体左右のクローラ３２ａ、３２ｂの駆動速度をそれぞれ独立に変化させることで、油圧式建設機械３１にステアリング機能を持たすことができる。
【００３７】
また、本実施形態による緊急油圧駆動装置１によれば、走行用ＨＳＴポンプ３、４がポンプ傾転制御ユニット３ａ、４ａを備え、油圧ポンプ５によって構成される油圧開回路が方向流量制御弁１２を備える。従って、走行用ＨＳＴポンプ３、４に備えられたポンプ傾転制御ユニット３ａ、４ａの操作により、油圧式建設機械２１、３１に搭載された走行用ＨＳＴモータ２２ａ、２２ｂまたは３３ａ、３３ｂと、緊急油圧駆動装置１の走行用ＨＳＴポンプ３、４との間で構成される油圧閉回路を流れる圧油の流量や方向が、任意に変えられる。このため、走行系油圧回路が閉回路で構成される油圧式建設機械２１の走行速度や前後進、クローラ式の建設機械３１にあってはステアリングなどの機械操作が、ポンプ傾転制御ユニット３ａ、４ａの操作によって任意に行える。
【００３８】
また、油圧開回路に備えられた方向流量制御弁１２の操作により、油圧式建設機械４１に搭載された走行用モータ４３ａ、４３ｂと緊急油圧駆動装置１の開回路用の油圧ポンプ５との間で構成される油圧開回路を流れる圧油の流量や方向が、任意に変えられる。このため、走行系油圧回路が開回路で構成される油圧式建設機械４１の走行速度や前後進、クローラ式の建設機械４１にあってはステアリングなどの機械操作が、方向流量制御弁１２の操作によって任意に行える。
【００３９】
なお、上記実施形態では、油圧式建設機械２１、３１、４１の閉回路または開回路で構成される走行系油圧回路が、緊急油圧駆動装置１に接続されて緊急走行する場合について説明した。しかし、本発明はこれに限定されることはなく、油圧式建設機械２１、３１、４１の閉回路または開回路で構成される作業系油圧回路が、緊急油圧駆動装置１に接続されて緊急作業する場合についても、同様に適用することが可能である。閉回路で構成される作業系油圧回路を備えた油圧式建設機械は、緊急油圧駆動装置１の圧油接続口７ａ、７ｂまたは８ａ、８ｂに接続されて緊急油圧駆動装置１との間で油圧閉回路が構成されることで、また、開回路で構成される作業系油圧回路を備えた油圧式建設機械は、緊急油圧駆動装置１の圧油接続口９ａ、９ｂまたは１０に接続されて緊急油圧駆動装置１との間で油圧開回路が構成されることで、作業用アクチュエータに圧油が供給されて駆動され、上記実施形態と同様な作用・効果が奏される。この際、作業系油圧回路が閉回路で構成される油圧式建設機械による作業操作は、ポンプ傾転制御ユニット３ａ、４ａの操作によって任意に行える。また、作業系油圧回路が開回路で構成される油圧式建設機械による作業操作は、方向流量制御弁１２の操作によって任意に行える。
【産業上の利用可能性】
【００４０】
本発明による緊急油圧駆動装置１は、アスファルトフィニッシャや、移動式クレーン、油圧ショベルなどの油圧式建設機械に適用することが可能である。このような油圧式建設機械に適用されることで、上記実施形態のような作用・効果が奏される。
【符号の説明】
【００４１】
１…緊急油圧駆動装置
２…エンジン
３、４…走行用ＨＳＴポンプ（閉回路用油圧ポンプ）
３ａ、４ａ…ポンプ傾転制御ユニット（吐出油制御手段）
５、６…油圧ポンプ（開回路用油圧ポンプ）
７ａ、７ｂ、８ａ、８ｂ…圧油接続口（第１の圧油接続口）
９ａ、９ｂ、１０…圧油接続口（第２の圧油接続口）
１１…作動油タンク
１２…方向流量制御弁
１３、１４…圧力調整弁
２１、３１、４１…油圧式建設機械
２２ａ、２２ｂ、３３ａ、３３ｂ…走行用ＨＳＴモータ
４３ａ、４３ｂ…走行用モータ
４４…コントロールバルブ
【図１】
0005876662.tif 000002
【図２】
0005876662.tif 000003
【図３】
0005876662.tif 000004
【図４】
0005876662.tif 000005